(57)【要約】【課題】青色レーザを備える光学系を用いて高速回転時に安定した記録・再生を行う光情報記録媒体を提供する。【解決手段】片側から照射する光により情報を記録・再生する記録領域に、予め高速回転時に発生する応力に基づく複屈折を相殺するように、極性が負である複屈折量の分布を設けたディスク状基板を有し、線速度一定かつ回転数６０００ｒｐｍ以上で回転し、波長λ４０５ｎｍ及び開口数ＮＡ０．６５の光ピックアップにより得られるプッシュプル信号（Ｐｐ）が０．２以上、プッシュプル信号最大値（Ｐｐｍａｘ）と最小値（Ｐｐｍｉｎ）との比（Ｐｐｍａｘ／Ｐｐｍａｘ）が１．４以下である光情報記録媒体。【選択図】図５
2007334998.tif 000002
【特許請求の範囲】
【請求項１】
基板側から照射する光により情報を再生する光情報記録媒体であって、
ディスク状の前記基板の記録領域に、当該基板の回転時に発生する応力に基づく複屈折を相殺するような複屈折量の分布を有し、
前記基板を線速度一定かつ回転数６０００ｒｐｍ以上で回転し、波長（λ）４０５ｎｍの光源及び開口数（ＮＡ）０．６５の集光用対物レンズを備える光ピックアップにより得るプッシュプル信号（Ｐｐ）が０．２以上であり、かつ、前記プッシュプル信号の最大値（Ｐｐｍａｘ）と最小値（Ｐｐｍｉｎ）との比（Ｐｐｍａｘ／Ｐｐｍａｘ）が２．０以下であることを特徴とする光情報記録媒体。
【請求項２】
前記基板の表面に、溝深さ（Ｄｐ）２５ｎｍ〜３５ｎｍ且つトラックピッチ（Ｔｐ）２００ｎｍ〜２５０ｎｍの案内溝を有することを特徴とする請求項１記載の光情報記録媒体。
【請求項３】
前記基板上に、少なくとも当該基板を透過した前記光により情報を記録する相変化記録層を有することを特徴とする請求項１記載の光情報記録媒体。
【請求項４】
光透過性の基板と、
前記基板側から入射する光により情報を記録または再生する相変化記録層と、を少なくとも有し、
前記基板の記録領域において、当該基板の複屈折量の極性が負であることを特徴とする光情報記録媒体。
【請求項５】
前記基板の任意の半径（ｒｉ）における複屈折量（Ｒｉ）が、−３０ｎｍ≦Ｒｉ≦１０ｎｍであること特徴とする請求項４記載の光情報記録媒体。
【請求項６】
前記基板を線速度一定かつ回転数６０００ｒｐｍ以上で回転する際の、波長（λ）４０５ｎｍの光源及び開口数（ＮＡ）０．６５の集光用対物レンズを備える光ピックアップにより得るプッシュプル信号（Ｐｐ）が０．２以上、かつ、前記プッシュプル信号の最大値（Ｐｐｍａｘ）と最小値（Ｐｐｍｉｎ）との比（Ｐｐｍａｘ／Ｐｐｍａｘ）が、２．０以下であることを特徴とする請求項４記載の光情報記録媒体。
【発明の詳細な説明】
【技術分野】
【０００１】
本発明は、光情報記録媒体に関し、より詳しくは、高速回転時に安定した記録・再生が行える光情報記録媒体に関する。
【背景技術】
【０００２】
現在、コンピューター用の情報量は拡大の一途を辿っているのに加え、音楽・静止画像・動画像の情報もデジタル化が進み、こうした用途においても情報量は飛躍的に増大している。例えば、ＤＶＤ（Ｄｉｇｉｔａｌ  Ｖｅｒｓａｔｉｌｅ  Ｄｉｓｋ）は、情報信号面が転写された厚さ０．６ｍｍの円盤状の成形基板と、信号面の無い同様の厚さの基板とを、信号面を内側にして製造される。また、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）の両面記録製品においては、情報信号面が転写された厚さ０．６ｍｍの円盤状の成形基板２枚を、情報信号面を内側にして貼り合わせて製造される。
【０００３】
更に、近年の光ディスクの大容量化に伴い、光学系が赤色レーザから青色レーザへと変わり、また、デジタル放送のＨＤＴＶ（Ｈｉｇｈ  Ｄｅｆｉｎｉｔｉｏｎ  Ｔｅｌｅｖｉｓｉｏｎ）クラスの画質で録画を行うために、Ｂｌｕ−ｒａｙ  Ｄｉｓｋ（ＢＤ）が製品化された。このＢＤは、厚さ１．１ｍｍの基板に情報信号面を転写し、その情報信号面に厚さ０．１ｍｍのカバー層を設けて製造される。ＢＤの２層構造ディスクの記録容量は５０ＧＢに達する。
【０００４】
また、ＢＤと異なる規格としては、現在、ＤＶＤ  Ｆｏｒｕｍで審議されているＨＤ  ＤＶＤの開発が挙げられる。これは、青色レーザを光源とし、記録・再生光入射側の単板の厚さを、ＤＶＤと同様の０．６ｍｍとした光情報記録媒体（即ち、ＨＤ  ＤＶＤ）である。ＨＤ  ＤＶＤの光源波長（λ）及び集光用対物レンズの開口数（ＮＡ）は、ＤＶＤが光源波長λ＝６５０ｎｍ、ＮＡ＝０．６であるのに対し、光源波長λ＝４０５ｎｍ、ＮＡ＝０．６５であり、ＤＶＤと比較して光源波長をより短波長化し、ＮＡを高めることによって、ＤＶＤよりも大容量のディスクを実現している。
【０００５】
このような光情報記録媒体の基板には、通常、安価なポリカーボネート樹脂を用いるが、このポリカーボネート樹脂は複屈折を生じることが知られている。
一方、光情報記録媒体に情報を記録し、記録した情報を再生する光学式情報記録再生装置は、光の利用効率を高めるため、通常、偏光分離素子と（１／４）波長板とを組み合わせた偏光光学系を用いる。このような偏光光学系を用いる場合に、光情報記録媒体の保護層に複屈折が生じると、光情報記録媒体からの反射光を受光する光検出器の受光量が低下し、再生時の信号対雑音比（Ｓ／Ｎ比）の低下につながる。また、複屈折が生じることにより、光情報記録媒体上に形成される集光スポットのピーク強度が低下し、そのため、記録時に必要な光パワーの増加につながる。このような現象は、特に、青色レーザを使用する光学系において顕著である。
【０００６】
前述した、光情報記録媒体に複屈折が生じることによる問題を解決する技術としては、例えば、集光用対物レンズと（１／４）波長板との間に、偏光方向を変化させる素子を設けた光ヘッド装置を用いる方法（特許文献１参照）、或いは、光情報記録媒体の光学的異方性に基づく複屈折量に応じて、所望の光路差を補正した光路差を、実際の光路差として２つの偏光成分の間に与える波長板を設けた光ピックアップ装置を用いる方法（特許文献２参照）等が報告されている。
【０００７】
【特許文献１】特開平１０−８３５５２号公報
【特許文献２】特開２００４−２４５９５７号公報
【発明の開示】
【発明が解決しようとする課題】
【０００８】
ところで、光ディスクの大容量化に伴い、転送速度が高速化し、現在では、光ディスクの回転数は、最大１００００ｒｐｍに達する。このような高速回転時には、円盤状の光ディスクの基板に、ディスクの半径方向の主応力（σｒ）と円周方向の主応力（σｔ）に基づく複屈折が発生することが知られている。基板が高速回転することにより発生する複屈折と前述した基板を構成する樹脂材料が元々有する複屈折とが加算されると、基板の光学的ゆがみであるリターデーションが増大する（以下、「Ｒｅ増分」と記すことがある。）。その結果、光情報記録媒体に信号を記録・再生中に、トラッキングが外れるおそれがある。
【０００９】
ここで、「リターデーション」とは、基板における光位相差であって、複屈折の大きさを検出し、定量するための指標である。
リターデーションと直接的な関係を有する複屈折量（Ｒ０）は、前述したディスクの半径方向の主応力（σｒ）と円周方向の主応力（σｔ）を用いて、下記式のように表される。尚、式中、Ｃは基板を形成する材料の光弾性係数、ｔは基板の厚さである。また、下記式において、円周方向の主応力（σｔ）に対して、半径方向の主応力が大きい（σｒ）（σｒ＞σｔ）場合のＲ０を負の複屈折量とする。
【００１０】
【数１】
2007334998.tif 000003
【００１１】
また、一般に、ＤＶＤやＨＤ  ＤＶＤ等の、中心孔を設けたディスク状の基板（以下、「中空円板」と記すことがある。）のように、内半径ｒ１及び外半径ｒ２の基板がドライブ内で回転する場合、チャッキングエリアをドライブで固定し、内外壁には圧力が作用しない状態で回転する。このとき、この回転する基板の、任意の半径（ｒ）における半径方向の主応力（σｒ）と円周方向の主応力（σｔ）とは、以下の式でそれぞれ与えられる。尚、式中、γは材料の比重量、νはポアソン比、ωは角速度（ｒａｄ／ｓｅｃ．）である。
【００１２】
【数２】
2007334998.tif 000004
【００１３】
【数３】
2007334998.tif 000005
【００１４】
具体的には、例えば、波長（λ）＝４０５ｎｍのレーザ光、開口数（ＮＡ）＝０．６５の集光用対物レンズを有する光学系を備えるドライブにより、回転速度が１倍速（線速６．６１ｍ／ｓ）で、その回転方式がＣＬＶ（Ｃｏｎｓｔａｎｔ  Ｌｉｎｅａｒ  Ｖｅｌｏｃｉｔｙ）の場合、中空円板（ｒ１＝１５ｍｍ，ｒ２＝１２０ｍｍ）のポリカーボネート樹脂製基板（厚さ（ｔ）０．６ｍｍ）の回転数は、内周側で２８００ｒｐｍ、外周側で１０００ｒｐｍとなる。
【００１５】
図６は、ＣＬＶ（線速６．６１ｍ／ｓ）において、中空回転円板に発生する応力とＲｅ増分との関係を示すグラフである。図６に示すように、回転速度が１倍速の場合、基板内周部には基板が回転することによる応力が殆ど生じず、計算によって求めた複屈折量（Ｒ０）に基づくＲｅ増分（単位：ｎｍ）（シュミレーション結果）もわずかである。従って、複屈折量（Ｒ０）は、元々、基板が持つ値のみを考慮すればよく、光情報記録媒体に信号を記録・再生中にトラッキングが外れるおそれは少ない。尚、半径方向の主応力（σｒ）（単位：ｋｇｆ／ｃｍ２）、円周方向の主応力（σｔ）（単位：ｋｇｆ／ｃｍ２）、複屈折量（Ｒ０）を計算する際に、ポリカーボネート樹脂の物性値は以下の値を用いた。
γ：０．００１２ｋｇ／ｃｍ３
ν：０．３
Ｃ：０．０００００７１ｃｍ２／ｋｇｆ
【００１６】
これに対して、このドライブの回転速度が４倍速（線速２６．４４ｍ／ｓ）で、その回転方式がＣＬＶの場合、同一の中空円板のポリカーボネート樹脂製基板（厚さ（ｔ）０．６ｍｍ）の回転数は、内周側で１００００ｒｐｍ、外周側で４４００ｒｐｍとなり、基板内部には基板が回転することによる応力が増大する。
【００１７】
図７は、ＣＬＶ（線速２６．４４ｍ／ｓ）において、中空回転円板に発生する応力とＲｅ増分との関係を示すグラフである。図７に示すように、回転速度が４倍速の場合、特に基板内周部には基板が回転することによる大きな応力が生じ、このため、基板内周部において、計算によって求めた複屈折量（Ｒ０）に基づくＲｅ増分（単位：ｎｍ）（シミュレーション結果）は、前述した１倍速（線速６．６１ｍ／ｓ）の場合と比較して、４０ｎｍ以上も増大することが予想される。
【００１８】
このように、高速回転時に光ディスクの基板には、基板の半径方向の主応力（σｒ）と円周方向の主応力（σｔ）の増大に基づく複屈折が発生することにより、光学的ゆがみであるリターデーションが増大し、その結果、プッシュプル信号が低下し、光情報記録媒体に信号を記録・再生中に、トラッキングが外れるおそれがあるという問題が懸念される。
【００１９】
本発明は、このような高速回転時の光情報記録媒体における問題を解決するためになされたものである。
すなわち本発明の目的は、青色レーザを備える光学系を用いて、高速回転時に安定した記録・再生が行える光情報記録媒体を提供することにある。
【課題を解決するための手段】
【００２０】
そこで上述した課題を解決するために本発明者は鋭意検討の結果、予め複屈折の分布を有する基板を用いた光情報記録媒体は、プッシュプル信号量の減少を抑制できることを見出し、この知見に基づき本発明を完成した。
かくして本発明によれば、基板側から照射する光により情報を再生する光情報記録媒体であって、ディスク状の基板の記録領域に、基板の回転時に発生する応力に基づく複屈折を相殺するような複屈折量の分布を有し、基板を線速度一定かつ回転数６０００ｒｐｍ以上で回転し、波長（λ）４０５ｎｍの光源及び開口数（ＮＡ）０．６５の集光用対物レンズを備える光ピックアップにより得るプッシュプル信号（Ｐｐ）が０．２以上であり、かつ、プッシュプル信号の最大値（Ｐｐｍａｘ）と最小値（Ｐｐｍｉｎ）との比（Ｐｐｍａｘ／Ｐｐｍａｘ）が、２．０以下であることを特徴とする光情報記録媒体が提供される。
本発明が適用される光情報記録媒体の基板の表面に形成する案内溝は、溝深さ（Ｄｐ）２５ｎｍ〜３５ｎｍ且つトラックピッチ（Ｔｐ）２００ｎｍ〜２５０ｎｍであることが好ましい。
また、基板上には、少なくとも基板を透過した光により情報を記録する相変化記録層を有することが好ましい。
【００２１】
また、本発明によれば、光透過性の基板と、基板側から入射する光により情報を記録または再生する相変化記録層と、を少なくとも有し、基板の記録領域において、基板の複屈折量の極性が負であることを特徴とする光情報記録媒体が提供される。
ここで、本発明が適用される光情報記録媒体は、基板の任意の半径（ｒｉ）における複屈折量（Ｒｉ）が、−３０ｎｍ≦Ｒｉ≦１０ｎｍであることが好ましい。
そして、本発明が適用される光情報記録媒体は、基板を線速度一定かつ回転数６０００ｒｐｍ以上で回転する際の、波長（λ）４０５ｎｍの光源及び開口数（ＮＡ）０．６５の集光用対物レンズを備える光ピックアップにより得るプッシュプル信号（Ｐｐ）が０．２以上、かつ、プッシュプル信号の最大値（Ｐｐｍａｘ）と最小値（Ｐｐｍｉｎ）との比（Ｐｐｍａｘ／Ｐｐｍａｘ）が、２．０以下であることを特徴とするものである。
【発明の効果】
【００２２】
本発明の光情報記録媒体によれば、青色レーザを備える光学系を用いて、高速回転時に安定した記録・再生を行うことができる。
【発明を実施するための最良の形態】
【００２３】
以下、本発明を実施するための最良の形態（実施の形態）について、図面に基づき説明する。尚、本発明は、以下の実施の形態に限定されるものではなく、その要旨の範囲内で種々変形して実施することができる。また、使用する図面は、本実施の形態を説明するために使用するものであり、実際の大きさを現すものではない。
初めに、本実施の形態が適用される光情報記録媒体の構造について説明する。
図１は、本実施の形態が適用される光情報記録媒体１０を説明する図である。図１に示すように、光情報記録媒体１０は、中央部に内半径ｒ１の中心孔８を設けた外半径ｒ２のディスク形状を有し、所定のドライブ（図示せず。）に装着する際に光情報記録媒体１０をドライブに固定するためのチャッキングエリア９と、チャッキングエリア９の外側に設けた記録領域７とを有している。
【００２４】
次に、図２は、光情報記録媒体１０の断面を説明する図である。ここではＨＤ  ＤＶＤ−ＲＷディスクを例に挙げて説明する。図２に示すように、光情報記録媒体１０は、記録・再生光Ｌが入射する光透過性材料からなる基板５と、基板５上に順番に、相変化型記録材料からなる相変化記録層４と、反射材料からなる反射層６と、さらに反射層６上に設けるダミー基板３とを有している。記録・再生光Ｌは、基板５側から入射して相変化記録層４を照射する。
【００２５】
基板５は、表面に、所定の溝幅（グルーブ幅：Ｗｐ）及び溝深さ（Ｄｐ）のグルーブ２からなる案内溝と、隣接する２個のグルーブ２間に設けるランド１とを有する。グルーブ２は、基板５の表面を蛇行するようにウォブルグルーブを形成する。
【００２６】
ここで、図３は、光情報記録媒体１０のウォブルグルーブ（Ｇｖ）を説明する図である。すなわち、図３に示すように、ＨＤ  ＤＶＤの書換可能媒体であるＨＤ  ＤＶＤ−ＲＷディスクは、基板５上にグルーブが蛇行するように形成するウォブルグルーブ（Ｇｖ）によってアドレス管理を行うフォーマットを採用している。ここでウォブルグルーブ（Ｇｖ）は、主にトラッキングサーボを行うために、所定の間隔のトラックピッチ（Ｔｐ）で記録トラックに沿って形成する。
基板５の表面に形成する案内溝の溝深さ（Ｄｐ）は、２５ｎｍ〜３５ｎｍであることが好ましい。また、ウォブルグルーブ（Ｇｖ）のトラックピッチ（Ｔｐ）は、２００ｎｍ〜２５０ｎｍであることが好ましい。
【００２７】
本実施の形態においては、基板５は、中心孔の内径１５ｍｍ、外径１２０ｍｍ、厚さ０．６ｍｍのポリカーボネート樹脂（帝人化成株式会社製  パンライトＡＤ−５５０３）製板の表面に、溝幅（Ｗｐ）２４０ｎｍ、溝深さ（Ｄｐ）３０ｎｍのグルーブ２が、トラックピッチ（Ｔｐ）４００ｎｍの間隔で形成され、射出成形によって作製される。尚、基板５には、ディスク認識情報やアドレス情報等が、前述したウォブルグルーブ（Ｇｖ：図３）によって予め記録してある。
【００２８】
このような、ウォブルグルーブ（Ｇｖ）内に信号を記録するディスクでは、通常、プッシュプル信号を用いてトラッキングを行う。ここで、プッシュプル信号とは、記録再生装置のピックアップに用いられる４分割フォトディテクターによるそれぞれの出力を加減乗除することによって生成する信号である。
【００２９】
図４は、４分割フォトディテクターを説明する模式図である。図４に示すように、４分割フォトディテクターは、４個のフォトディテクター（Ａ，Ｂ，Ｃ，Ｄ）を有し、各フォトディテクターの再生出力は、それぞれ、Ｉａ、Ｉｂ、Ｉｃ、Ｉｄとなる。このとき、プッシュプル信号（Ｔ）は、ＡＣ結合による内周側と外周側の差分の測定値（即ち、｜（Ｉａ＋Ｉｂ）−（Ｉｃ＋Ｉｄ）｜）と、ＤＣ結合による総和の測定値（即ち、｜（Ｉａ＋Ｉｂ＋Ｉｃ＋Ｉｄ）｜）との比（即ち、Ｔ＝｜（Ｉａ＋Ｉｂ）−（Ｉｃ＋Ｉｄ）｜／｜（Ｉａ＋Ｉｂ＋Ｉｃ＋Ｉｄ）｜）で定義する。
尚、プッシュプル信号量は、基板５を成形する際の転写性、相変化記録層４の製膜工程、基板５の複屈折量等の影響を受けて変動することが知られている。
【００３０】
次に、各層を構成する材料について説明する。
基板５の材料としては、特に限定されないが、前述したポリカーボネート樹脂以外に、例えば、アクリル系樹脂、メタクリル系樹脂、非晶質ポリオレフィン系樹脂、ポリエステル系樹脂、ポリスチレン樹脂、エポキシ樹脂等の樹脂、ガラス等が挙げられる。
【００３１】
相変化記録層４は、相変化型記録材料から構成される。相変化記録層４の厚さは、通常、１０ｎｍ〜１５ｎｍである。相変化型記録材料の具体例としては、例えば、Ｓｂ−Ｔｅ系、Ｇｅ−Ｔｅ系、Ｇｅ−Ｓｂ−Ｔｅ系、Ｉｎ−Ｓｂ−Ｔｅ系、Ａｇ−Ｉｎ−Ｓｂ−Ｔｅ系、ＭＡ−Ｇｅ−Ｓｂ−Ｔｅ系（ＭＡは、Ａｕ、Ｃｕ、Ｐｄ、Ｔａ、Ｗ、Ｉｒ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ａｇ、Ｔｌ、Ｓ、ＳｅおよびＰｔのうちの少なくとも１元素）、Ｓｎ−Ｓｂ−Ｔｅ系、Ｉｎ−Ｓｅ−Ｔｌ系、Ｉｎ−Ｓｅ−Ｔｌ−ＭＢ系（ＭＢは、Ａｕ、Ｃｕ、Ｐｄ、Ｔａ、Ｗ、Ｉｒ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ａｇ、Ｔｌ、Ｓ、ＳｅおよびＰｔのうちの少なくとも１元素）、Ｓｎ−Ｓｂ−Ｓｅ系、Ｂｉ−Ｇｅ−Ｔｅ系等の材料が挙げられる。
【００３２】
反射層６は、金属または合金等の反射材料により構成される。反射層６の厚さは、通常、１００ｎｍ程度である。反射材料としては、例えば、Ａｕ、Ａｌ、Ａｇ、Ｃｕ、Ｔｉ、Ｃｒ、Ｎｉ、Ｐｔ、Ｔａ、ＣｒおよびＰｄの金属を単独あるいは合金にして用いることが可能である。さらに、これらを主成分とする以外に、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉなどの金属および半金属を含むこともできる。
【００３３】
ダミー基板３は、基板５のように光透過性である必要はなく、例えば、適度な加工性と剛性を有するプラスチック、金属、ガラス等を用いることができる。尚、ダミー基板３は、基板５と同様に、内径１５ｍｍ、外径１２０ｍｍ、厚さ０．６ｍｍのディスク状に形成する。
【００３４】
尚、本実施の形態が適用される光情報記録媒体１０は、必要に応じて他の層を設けても良い。例えば、基板５と相変化記録層４との間、あるいは、相変化記録層４と反射層６との間に、それぞれ、例えば、ＺｎＳ−ＳｉＯ２の混合物、ＳｉＮｘ等からなる保護層をそれぞれ形成する。また、反射層６とダミー基板３との間に、紫外線硬化性樹脂からなるＵＶ保護層を設ける。さらに、界面層、熱拡散層等を設けることもできる。
【００３５】
次に、本実施の形態が適用される光情報記録媒体１０の基板５についてさらに詳述する。
本実施の形態において、ディスク状の基板５は、基板５の半径方向に、回転時に発生する応力（半径方向の主応力（σｒ），円周方向の主応力（σｔ））に基づく複屈折を相殺するような複屈折量の分布を有し、例えば、回転数６０００ｒｐｍ／ｓ以上の高速回転時においても、光学的ゆがみであるリターデーションの増大が低減することに特徴を有している。
【００３６】
記録領域７の任意の半径（ｒｉ）における基板５の複屈折量（Ｒｉ）は、例えば、前述した図７に示すように、線速２６．４４ｍ／ｓ（ＣＬＶ）（回転数６０００ｒｐｍ／ｓ以上）で高速回転する中空円板の場合は、それぞれの半径（ｒｉ）位置の高速回転に基づく複屈折量（Ｒ０）（Ｒｅ増分）を相殺するような分布を持つことが必要である。具体的には、記録領域７の任意の半径（ｒｉ）における基板５の複屈折量（Ｒｉ）は、−３０ｎｍ≦Ｒｉ≦１０ｎｍであることが好ましい。
複屈折量（Ｒｉ）の絶対値が過度に大きいまたは過度に小さいと、波長λ＝４０５ｎｍの光源及び開口数ＮＡ＝０．６５の集光用対物レンズを備える光学系を用いたドライブの場合、光情報記録媒体１０を線速度一定かつ回転数６０００ｒｐｍ以上で回転する場合に、充分なプッシュプル信号を得ることが困難である。
【００３７】
基板５の半径方向に、基板５の回転時に発生する応力に基づく複屈折を相殺するように、複屈折量（Ｒｉ）の分布を形成する方法としては、特に限定されない。具体的には、例えば、基板５を適当な光透過性樹脂を用いて射出成型により形成する場合は、基板５の複屈折量（Ｒｉ）の分布は、樹脂流動による分子配向、充填圧縮による静水圧歪、固化冷却による熱応力及びこれらの緩和現象等の要因を、適宜組み合わせて達成することが可能である。
【００３８】
本実施の形態が適用される光情報記録媒体１０は、ディスク状の基板５の半径方向に、回転時に発生する応力（σｒ，σｔ）に基づく複屈折を相殺するような複屈折量の分布（Ｒｉ）を有する。そして、基板５を線速度一定かつ回転数６０００ｒｐｍ以上で回転し、波長（λ）４０５ｎｍの光源及び開口数（ＮＡ）０．６５の集光用対物レンズを備える光ピックアップによって形成する光スポットを用いて情報を再生する際に、基板５の全域におけるプッシュプル信号（Ｐｐ）の値が０．２以上であり、かつ、前記プッシュプル信号の最大値（Ｐｐｍａｘ）と最小値（Ｐｐｍｉｎ）との比（Ｐｐｍａｘ／Ｐｐｍａｘ）が、２．０以下となる。その結果、高速回転時にトラッキングが外れることなく、安定した記録・再生を行うことができる。
【実施例】
【００３９】
以下に、実施例に基づき本実施の形態をさらに詳細に説明する。なお、本実施の形態は実施例に限定されるものではない。
（１）光情報記録媒体の調製
先ず、所定の射出圧縮成形機（住友重機械工業株式会社製ＳＤ４０Ｅ）を用いて、溝深さ３０ｎｍ、溝幅（グルーブ幅）２４０ｎｍの案内溝を有する厚さ０．６ｍｍのポリカーボネート樹脂製の基板（内半径ｒ１＝１５ｍｍ，外半径ｒ２＝１２０ｍｍ）を成形した。成形条件は、成形機の初期型開き量０．６ｍｍ、射出充填速度の最大値１５０ｍｍ／ｓ、樹脂温度３８０℃、金型温度は固定金型１１５℃、可動金型１１０℃とした。また、型締力は多段制御であるが、その初期型締力を３００ＭＰａとした。
次に、この基板の表面にＢｉ−Ｇｅ−Ｔｅ系合金からなる相変化記録層とＡｇ−Ｎｄ−Ｃｕ合金からなる反射層とを、それぞれスパッタリングにより順番に製膜し、さらに、厚さ０．６ｍｍのダミー基板（内半径ｒ１＝１５ｍｍ，外半径ｒ２＝１２０ｍｍ）を貼り合わせて光情報記録媒体を調製した。
【００４０】
図５は、このように調製した光情報記録媒体の基板における、半径方向の複屈折量の分布を示す図である。図５に示すように、上述した方法で調製した基板は、基板の半径方向において、半径２２ｍｍ〜４４ｍｍ及び半径５４ｍｍ〜５７ｍｍの範囲において、複屈折量の極性が負となる複屈折量の分布を有している（図５中、黒丸及び実線）。
尚、図５中には、厚さ０．６ｍｍ、内半径ｒ１１５ｍｍ及び外半径ｒ２１２０ｍｍの中空円板を線速２６．４４ｍ／ｓ（ＣＬＶ）の高速で回転するときの半径方向の主応力（σｒ）及び円周方向の主応力（σｔ）（点線表示）と、計算によって求めた複屈折量（Ｒ０）に基づくＲｅ増分（単位：ｎｍ）（シミュレーション結果：点線表示）を同時に掲載した。
【００４１】
（２）情報記録再生装置
波長（λ）＝４０５ｎｍのレーザ光、開口数（ＮＡ）＝０．６５の集光用対物レンズを備える光ピックアップを有する評価機を用いた。
【００４２】
（実施例）
前述した方法で調製した光情報記録媒体を、上述の情報記録再生装置を用いて、１倍速（線速６．６１ｍ／ｓ）（ＣＬＶ）及び４倍速（線速２６．４４ｍ／ｓ）（ＣＬＶ）（回転数６０００ｒｐｍ／ｓ以上）の高速で回転するときの基板の半径方向の所定の半径位置（ｒｉ）におけるプッシュプル信号量（以下、ＰＰ信号量（Ｐｐ））を測定した。結果を表１に示す。
【００４３】
【表１】
2007334998.tif 000006
【００４４】
表１に示す結果から、光情報記録媒体のＰＰ信号量（Ｐｐ）は、図７に示すような複屈折量分布を有し、回転時に発生する応力に基づく複屈折が相殺されることにより、４倍速（線速２６．４４ｍ／ｓ）（ＣＬＶ）（回転数６０００ｒｐｍ／ｓ以上）の高速回転時において、ＰＰ信号量（Ｐｐ）の最大値（Ｐｐｍａｘ）は、半径ｒ＝２５．０ｍｍ〜５８．０ｍｍの範囲で、（Ｐｐｍａｘ）０．２７６である。
また、ＰＰ信号量（Ｐｐ）の最小値（Ｐｐｍｉｎ）は、半径ｒ＝２５．０ｍｍ〜５８．０ｍｍの範囲で、（Ｐｐｍｉｎ）０．２４０である。
さらに、（Ｐｐｍａｘ／Ｐｐｍｉｎ）＝（０．２７６／０．２４０）＝１．１５であり、（Ｐｐｍａｘ／Ｐｐｍｉｎ）≦２．０の関係を満たしていることが分かる。
【００４５】
このようなディスクは、およそ倍半分というプッシュプル信号量の許容周内変動量が十分なマージンを有する。
そして、本実施例において使用する光情報記録媒体は、上記評価機によって安定したトラッキングが可能であり、記録再生も内周側から外周側にかけて安定して行うことが可能である。
【００４６】
さらに、１倍速のときは、ＰＰ信号量（Ｐｐ）の最大値（Ｐｐｍａｘ）は、半径ｒ＝２５．０ｍｍ〜５８．０ｍｍの範囲で、（Ｐｐｍａｘ）０．３７８である。
また、ＰＰ信号量（Ｐｐ）の最小値（Ｐｐｍｉｎ）は、ｒ＝２５．０ｍｍ〜５８．０ｍｍの範囲で、（Ｐｐｍｉｎ）０．２８３である。
さらに、（Ｐｐｍａｘ／Ｐｐｍｉｎ）＝（０．３７８／０．２８３）＝１．３４であり、（Ｐｐｍａｘ／Ｐｐｍｉｎ）≦２．０の関係を満たすことが分かる。このようなディスクは、低速回転時においてもおよそ倍半分というプッシュプル信号量（Ｐｐ）の許容周内変動量が十分なマージンを有する。
【００４７】
以上、説明したように、本実施の形態による光情報記録媒体によれば、光学系に青色半導体レーザを用いた場合でも、高速回転時に安定した記録・再生を行うことが可能となる。
【図面の簡単な説明】
【００４８】
【図１】本実施の形態が適用される光情報記録媒体を説明する図である。
【図２】光情報記録媒体の断面を説明する図である。
【図３】光情報記録媒体のウォブルグルーブ（Ｇｖ）を説明する図である。
【図４】４分割フォトディテクターを説明する模式図である。
【図５】実施例で使用する光情報記録媒体の基板における、半径方向の複屈折量の分布を示す図である。
【図６】ＣＬＶ（線速６．６１ｍ／ｓ）において、中空回転円板に発生する応力とリターデーション増分との関係を示すグラフである。
【図７】ＣＬＶ（線速２６．４４ｍ／ｓ）において、中空回転円板に発生する応力とリターデーション増分との関係を示すグラフである。
【符号の説明】
【００４９】
１…ランド、２…グルーブ、３…ダミー基板、４…相変化記録層、５…基板、６…反射層、７…記録領域、８…中心孔、９…チャッキングエリア、１０…光情報記録媒体
【図１】
2007334998.tif 000007
【図２】
2007334998.tif 000008
【図３】
2007334998.tif 000009
【図４】
2007334998.tif 000010
【図５】
2007334998.tif 000011
【図６】
2007334998.tif 000012
【図７】
2007334998.tif 000013